(57)【要約】【課題】特定の周波数帯の音のピーク（突出）が現れるのを抑制する。【解決手段】電線を巻回するための歯部２６ａをそれぞれ有する複数の分割コア２６が環状に配列され且つその内側に回転可能な回転子が配置された固定子２３と、固定子２３の周囲に配置された円筒状のケーシング１１との固定構造１００である。複数の分割コア２６において、その外周面２６ｂとケーシング１１の内周面１１ｂとの溶接による固定領域２６ｃが異なることで接触状態が異なっている。【選択図】図３
2010041851.tif 000002
【特許請求の範囲】
【請求項１】
電線を巻回するための歯部をそれぞれ有する複数の分割コアが環状に配列され且つその内側に回転可能な回転子が配置された固定子と、前記固定子の周囲に配置された円筒状のケーシングとの固定構造であって、
前記複数の分割コアの少なくとも１つの分割コアの外周面と前記ケーシングの内周面との接触状態は、他の分割コアの外周面と前記ケーシングの内周面との接触状態とは異なることを特徴とする固定子とケーシングとの固定構造。
【請求項２】
前記複数の分割コアは、
その外周面が前記ケーシングの内周面に対して溶接により固定される分割コアと、
その外周面が前記ケーシングの内周面に対して溶接により固定されない分割コアとを含むことを特徴とする請求項１に記載の固定子とケーシングとの固定構造。
【請求項３】
前記複数の分割コアは、
その外周面における所定の固定領域において前記ケーシングの内周面に対して溶接により固定される分割コアと、
その外周面における前記所定の固定領域とは異なる固定領域において前記ケーシングの内周面に対して溶接により固定される分割コアとを含むことを特徴とする請求項１または２に記載の固定子とケーシングとの固定構造。
【請求項４】
前記ケーシングの内周面において前記複数の分割コアの外周面と溶接により固定されない領域の少なくとも一部には、前記複数の分割コアの外周面に接触する凸部が形成されていることを特徴とする請求項２または３に記載の固定子とケーシングとの固定構造。
【請求項５】
前記複数の分割コアは、前記ケーシングに対して締まり嵌めにより固定されることを特徴とする請求項２または３に記載の固定子とケーシングとの固定構造。
【請求項６】
前記ケーシングの内周面において前記複数の分割コアの外周面が締まり嵌めにより固定される領域の少なくとも一部には凹部が形成されていることを特徴とする請求項５に記載の固定子とケーシングとの固定構造。
【請求項７】
前記ケーシングの内周面において前記複数の分割コアの外周面が固定される領域の少なくとも一部には凹部が形成されていると共に、
前記複数の分割コアは、前記ケーシングに対して締まり嵌めにより固定されることを特徴とする請求項１に記載の固定子とケーシングとの固定構造。
【請求項８】
請求項１〜７のいずれか１項に記載の固定子とケーシングとの固定構造を備えた圧縮機。
【発明の詳細な説明】
【技術分野】
【０００１】
本発明は、固定子とケーシングとの固定構造及びそれを備えた圧縮機に関する。
【背景技術】
【０００２】
圧縮機等に用いられるモータの固定子は、複数の分割コアが周方向に配列され、全体として円環形状に構成されているものが一般的である。この固定子は、その周囲に配置された円筒状のケーシング内に配置され、焼き嵌めなどの方法でケーシングの内周面に対して固定される（例えば、特許文献１参照）。
【特許文献１】特開２００３−８８０１３号公報
【発明の開示】
【発明が解決しようとする課題】
【０００３】
ここで、固定子を構成する各分割コアは、鋼板から打ち抜かれた同一形状の板状部材が複数枚積層されることで同一形状に構成されている。このため、複数の分割コアが環状に配列された固定子と、その周囲に配置された円筒状のケーシングとが焼き嵌めにより固定される場合に、分割コアの外周面とケーシングの内周面との接触状態は、全ての分割コアにおいて同一となることがある。従って、各分割コアの外周面が全周に渡ってケーシングの内周面から均等に締め付けられることで、各分割コアの内部に生じる応力は、全ての分割コアにおいてほぼ同一となる。そのため、各分割コアの剛性と固有振動数は全て同一となり、分割コアからケーシングに伝達される振動によって、特定の周波数帯の音のピーク（突出）が顕著に現れて、騒音の原因となるという問題がある。
【０００４】
そこで、本発明は、上記のような課題を解決するためになされたものであり、特定の周波数帯の音のピーク（突出）が現れるのを抑制することが可能な固定子とケーシングとの固定構造及びそれを備えた圧縮機を提供することを目的とする。
【課題を解決するための手段】
【０００５】
第１の発明に係る固定構造は、電線を巻回するための歯部をそれぞれ有する複数の分割コアが環状に配列され且つその内側に回転可能な回転子が配置された固定子と、前記固定子の周囲に配置された円筒状のケーシングとの固定構造であって、前記複数の分割コアの少なくとも１つの分割コアの外周面と前記ケーシングの内周面との接触状態は、他の分割コアの外周面と前記ケーシングの内周面との接触状態とは異なることを特徴としている。
【０００６】
この固定構造では、少なくとも１つの分割コアの外周面とケーシングの内周面との接触状態は、他の分割コアの外周面とケーシングの内周面との接触状態とが異なっている。そのため、少なくとも１つの分割コアの内部に生じる応力は、他の分割コアとは同じにはならない。従って、少なくとも１つの分割コアの剛性と固有振動数は、他の分割コアの剛性と固有振動数と同一ではなく、特定の周波数帯の音のピーク（突出）が現れるのを抑制することができる。
【０００７】
ここで、「分割コアの外周面とケーシングの内周面との接触状態」とは、例えば、分割コアの外周面がケーシングの内周面に対して接触していない状態、分割コアの外周面がケーシングの内周面に対して接触しているが固定されていない状態、及び、分割コアの外周面がケーシングの内周面に対して接触し且つ固定されている状態を含んでいる。
【０００８】
そして、分割コアの外周面とケーシングの内周面とが接触している状態において、「分割コアの外周面とケーシングの内周面との接触状態が異なる」とは、分割コアの外周面とケーシングの内周面との接触領域、接触位置、接触強度などが異なる状態をいう。
【０００９】
第２の発明に係る固定構造は、第１の発明に係る固定構造であって、前記複数の分割コアは、その外周面が前記ケーシングの内周面に対して溶接により固定される分割コアと、その外周面が前記ケーシングの内周面に対して溶接により固定されない分割コアとを含むことを特徴としている。
【００１０】
この固定構造では、各分割コアの外周面がケーシングの内周面に対して溶接により固定されるか否かによって、各分割コアの外周面とケーシングの内周面との接触状態が異なる。つまり、その外周面がケーシングの内周面に対して溶接により固定される分割コアの内部には、溶接による応力が発生し、その外周面がケーシングの内周面に対して溶接により固定されない分割コアの内部には、溶接による応力が発生しない。これにより、各分割コアの内部に生じる応力が変化することで、各分割コアの固有振動数が異なるようになる。
【００１１】
ここで、「溶接により固定される分割コアの内部に発生する応力」とは、例えば、溶接時の入熱によって分割コアが変形することで発生する応力、溶接時の入熱によってケーシングが変形することで分割コアに影響する応力、及び、溶接後に分割コアの外周面とケーシングの内周面との溶融部が冷えて熱収縮することによって分割コアが変形することで発生する応力などの分割コア及びケーシングのそれぞれの変形に起因する応力の合算である。
【００１２】
第３の発明に係る固定構造は、第１または第２の発明に係る固定構造であって、前記複数の分割コアは、その外周面における所定の固定領域において前記ケーシングの内周面に対して溶接により固定される分割コアと、その外周面における前記所定の固定領域とは異なる固定領域において前記ケーシングの内周面に対して溶接により固定される分割コアとを含むことを特徴としている。
【００１３】
この固定構造では、各分割コアの外周面とケーシングの内周面との溶接により固定される固定領域が異なることで、各分割コアの内部に生じる応力が変化するので、各分割コアの固有振動数が異なるようになる。
【００１４】
ここで、「分割コアの外周面とケーシングの内周面とが異なる固定領域において溶接により固定される」とは、分割コアの外周面とケーシングの内周面とを固定するための溶接が行われる固定領域の形状、数、または位置（高さ）のいずれかが異なる状態をいう。
【００１５】
第４の発明に係る固定構造は、第２または第３の発明に係る固定構造であって、前記ケーシングの内周面において前記複数の分割コアの外周面と溶接により固定されない領域の少なくとも一部には、前記複数の分割コアの外周面に接触する凸部が形成されていることを特徴としている。
【００１６】
この固定構造では、ケーシングの内周面に形成された凸部が分割コアの外周面に接触するか否かによって、各分割コアの外周面とケーシングの内周面との接触状態が変化する。そのため、各分割コアの内部に生じる応力が変化するので、各分割コアの固有振動数が異なるようになる。
【００１７】
第５の発明に係る固定構造は、第２または第３の発明に係る固定構造であって、前記複数の分割コアは、前記ケーシングに対して締まり嵌めにより固定されることを特徴としている。
【００１８】
この固定構造では、各分割コアの内部には、溶接による応力に加えて締まり嵌めによる応力が発生する。ここで、締まり嵌めによる応力は、全ての分割コアにおいてほぼ同一である。従って、各分割コアにおいて溶接による応力が異なることで、各分割コアの固有振動数が異なるようになる。
【００１９】
第６の発明に係る固定構造は、第５の発明に係る固定構造であって、前記ケーシングの内周面において前記複数の分割コアの外周面が締まり嵌めにより固定される領域の少なくとも一部には凹部が形成されていることを特徴としている。
【００２０】
この固定構造では、分割コアがケーシングに対して溶接及び締まり嵌めにより固定される場合に、ケーシングの内周面の一部に凹部が形成されていることで、各分割コアの外周面とケーシングの内周面との接触領域が異なる。そのため、各分割コアの内部に生じる応力が変化するので、各分割コアの固有振動数が異なるようになる。
【００２１】
第７の発明に係る固定構造は、第１の発明に係る固定構造であって、前記ケーシングの内周面において前記複数の分割コアの外周面が固定される領域の少なくとも一部には凹部が形成されていると共に、前記複数の分割コアは、前記ケーシングに対して締まり嵌めにより固定されることを特徴としている。
【００２２】
この固定構造では、分割コアがケーシングに対して締まり嵌めにより固定されると、分割コアの外周面とケーシングの内周面とが全周に渡って接触する。従って、ケーシングの内周面の一部に凹部が形成されていることで、各分割コアの外周面とケーシングの内周面との接触領域が異なる。これにより、各分割コアの内部に生じる応力が変化するので、各分割コアの固有振動数が異なるようになる。
【００２３】
第８の発明に係る圧縮機は、第１〜第７のいずれかの発明に係る固定構造を備えていることを特徴としている。
【００２４】
この圧縮機では、特定の周波数帯の音のピーク（突出）が現れるのを抑制することができる。
【発明の効果】
【００２５】
以上の説明に述べたように、本発明によれば、以下の効果が得られる。
【００２６】
第１の発明では、少なくとも１つの分割コアの外周面とケーシングの内周面との接触状態は、他の分割コアの外周面とケーシングの内周面との接触状態とが異なっている。そのため、少なくとも１つの分割コアの内部に生じる応力は、他の分割コアとは同じにはならない。従って、少なくとも１つの分割コアの剛性と固有振動数は、他の分割コアの剛性と固有振動数と同一ではなく、特定の周波数帯の音のピーク（突出）が現れるのを抑制することができる。
【００２７】
第２の発明では、各分割コアの外周面がケーシングの内周面に対して溶接により固定されるか否かによって、各分割コアの外周面とケーシングの内周面との接触状態が異なる。つまり、その外周面がケーシングの内周面に対して溶接により固定される分割コアの内部には、溶接による応力が発生し、その外周面がケーシングの内周面に対して溶接により固定されない分割コアの内部には、溶接による応力が発生しない。これにより、各分割コアの内部に生じる応力が変化することで、各分割コアの固有振動数が異なるようになる。
【００２８】
第３の発明では、各分割コアの外周面とケーシングの内周面との溶接により固定される固定領域が異なることで、各分割コアの内部に生じる応力が変化するので、各分割コアの固有振動数が異なるようになる。
【００２９】
第４の発明では、ケーシングの内周面に形成された凸部が分割コアの外周面に接触するか否かによって、各分割コアの外周面とケーシングの内周面との接触状態が変化する。そのため、各分割コアの内部に生じる応力が変化するので、各分割コアの固有振動数が異なるようになる。
【００３０】
第５の発明では、各分割コアの内部には、溶接による応力に加えて締まり嵌めによる応力が発生する。ここで、締まり嵌めによる応力は、全ての分割コアにおいてほぼ同一である。従って、各分割コアにおいて溶接による応力が異なることで、各分割コアの固有振動数が異なるようになる。
【００３１】
第６の発明では、分割コアがケーシングに対して溶接及び締まり嵌めにより固定される場合に、ケーシングの内周面の一部に凹部が形成されていることで、各分割コアの外周面とケーシングの内周面との接触領域が異なる。そのため、各分割コアの内部に生じる応力が変化するので、各分割コアの固有振動数が異なるようになる。
【００３２】
第７の発明では、分割コアがケーシングに対して締まり嵌めにより固定されると、分割コアの外周面とケーシングの内周面とが全周に渡って接触する。従って、ケーシングの内周面の一部に凹部が形成されていることで、各分割コアの外周面とケーシングの内周面との接触領域が異なる。これにより、各分割コアの内部に生じる応力が変化するので、各分割コアの固有振動数が異なるようになる。
【００３３】
第８の発明では、特定の周波数帯の音のピーク（突出）が現れるのを抑制することができる。
【発明を実施するための最良の形態】
【００３４】
以下、図面に基づいて、本発明の実施形態に係る固定構造を備えた圧縮機について説明する。
【００３５】
（第１実施形態）
図１は、本発明の第１実施形態に係るロータリ圧縮機の概略構成図であり、図２は、図１のロータリ圧縮機の駆動機構を説明する断面図である。ロータリ圧縮機１は、アキュムレータ（図示せず）から導入される水分が除去された圧縮冷媒を圧縮して、その上端部に配置された排出流路２５から圧縮した圧縮冷媒を排出するものである。
【００３６】
ロータリ圧縮機１は、図１に示すように、密閉ケーシング１０と、密閉ケーシング１０内に配置される駆動機構２０と及び圧縮機構３０とを備えている。このロータリ圧縮機１は、いわゆる高圧ドーム型の圧縮機であって、密閉ケーシング１０内において、圧縮機構３０が駆動機構２０のボトム１３側に配置される。また、密閉ケーシング１０の下部には、圧縮機構３０の各摺動部に供給される潤滑油４０が貯留されている。
【００３７】
密閉ケーシング１０は、ケーシング１１、トップ１２及びボトム１３によって構成されている。ケーシング１１は、上下方向に延びた円筒状の部材であり、その上下端が開口しており、後述する固定子２３の周囲に配置される。また、ケーシング１１の側面には右下端部にアキュムレータ（図示せず）から圧縮冷媒を導入するための導入口１４が形成されている。トップ１２は、ケーシング１１の上端の開口を塞ぐ部材であり、前述した排出流路２５が設けられている。ボトム１３は、ケーシング１１の下端の開口を塞ぐ部材である。そして、密閉ケーシング１１には、ケーシング１１、トップ１２及びボトム１３によって囲まれた密閉空間１６が形成されている。
【００３８】
駆動機構２０は、圧縮機構３０を駆動するために設けられており、駆動源となるモータ２１と、モータ２１に取り付けられるモータ軸２４とを備えている。
【００３９】
モータ２１は、回転子２２と、この回転子２２の径方向外側にエアギャップ（図示せず）を介して配置される固定子２３とを有している。
【００４０】
回転子２２は、図２に示すように、積層された電磁鋼板からなる積層鉄心５１の外周部に、複数の永久磁石５２が配置されている。積層鉄心５１は、金属材料からなる薄板である複数の回転子コアが互いに積層され、それら複数の回転子コアが溶接やリベット（図示せず）やカシメ（図示せず）などにより互いに接合されることによって形成されている。積層鉄心５１には、その略中央部に、平面視で略円形の貫通孔５７が形成されている。貫通孔５７には、モータ軸２４が挿しこまれており、モータ軸２４が積層鉄心５１に固定されている。複数の永久磁石５２は、略直方体形状を有しており、例えば、比較的磁力が大きい希土類磁石（ネオジ−鉄−ボロン）などで構成される。複数の永久磁石５２は、遠心力によって離脱しないように、積層鉄心５１に埋め込まれている。そして、積層鉄心５１の複数の永久磁石が配置された部分がＮ極またはＳ極に磁化されている。
【００４１】
固定子２３は、環状に配列された複数の分割コア２６に、電線２７が巻回されて構成されている。複数の分割コア２６は、金属材料からなる薄板で同一形状の複数の板状部材４３がそれぞれ積層され、全ての分割コア２６は同一形状に構成されている。分割コア２６を構成する複数の板状部材４３は、溶接やカシメなどによって互いに接合されている。また、複数の板状部材４３は、電線２７を巻回するための１つの歯部２６ａをそれぞれ有している。そして、複数の分割コア２６の内側には、回転可能な回転子２２が配置される。また、複数の分割コア２６の外側には、筒状のケーシング１１が配置される。複数の分割コア２６の外周面２６ｂは、ケーシング１１の内周面に対して、溶接による固定領域２６ｃで固定されている。この複数の分割コア２６の外周面２６ｂとケーシング１１の内周面１１ｂとの固定構造については、後述する。なお、複数の分割コア２６は、それぞれ連結されていなくてもよいし、薄肉で連結されていてもよい。
【００４２】
モータ軸２４は、上述した回転子２２と共に回転することによって、圧縮機構３０のローラ３４を回転させる。このモータ軸２４には、後述するシリンダ３３のシリンダ室Ｂ１内に位置するように偏心部２２ａが設けられている。これらの偏心部２２ａには、ローラ３４がそれぞれ装着されている。これにより、モータ軸２４の回転に伴って、偏心部２２ａに装着されるローラ３４がシリンダ室Ｂ１で回転する。
【００４３】
そして、駆動機構２０を駆動させるためには、複数の分割コア２６の歯部２６ａに巻回された電線２７に、所定量ずつ位相がずれた交流電圧を印加する。電線２７には、印加された電圧に応じた磁界が発生するが、交流電圧の位相の変化によって磁界の方向が変化する。その結果、貫通孔４４の内部には、平面視で時計回りの回転磁界が発生する。そして、この回転磁界と永久磁石５２の磁界とによって発生する磁力によって回転子２２が回転する。そして、回転子２２の回転により、回転子２２に固定されたモータ軸２４も回転する。
【００４４】
一方、圧縮機構３０は、アキュムレータから吸入した冷媒を圧縮して吐出するために設けられている。この圧縮機構３０により吐出された冷媒は、駆動機構２０の固定子２３と回転子２２との間のエアギャップを通過して、駆動機構２０を冷却した後、排出流路２５から吐出される。この圧縮機構３０は、駆動機構２０のモータ軸２４の回転軸に沿ってトップ１２側からボトム１３側に向かって、フロントマフラ３１と、フロントヘッド３２と、シリンダ３３と、リアヘッド３５とを有している。
【００４５】
フロントマフラ３１は、フロントヘッド３２との間にマフラー空間Ａ１を形成するように取り付けられ、冷媒の吐出に伴う騒音の低減を図っている。このフロントマフラ３１は、フロントヘッド３２が嵌挿される開口３１ａが内側に形成されており、また、フロントヘッド３２とシールされるための鍔部３１ｂが外側に形成されている。そして、フロントマフラ３１には、マフラー空間Ａ１から圧縮された冷媒が吐出される吐出孔（図示せず）が形成されている。
【００４６】
フロントヘッド３２は、シリンダ３３のトップ１２側に配置され、シリンダ３３のシリンダ室Ｂ１のトップ１２側の開口を閉塞する。このフロントヘッド３２は、モータ軸２４が嵌挿される軸受け孔３２ａを有している。そして、フロントヘッド３２には、トップ１２側が開口した凹状の弁収容室（図示せず）と、シリンダ３３のシリンダ室Ｂ１におけるローラ３４の回転駆動によって圧縮された冷媒が吐出される吐出ポート（図示せず）とが設けられている。吐出ポートから吐出される冷媒は、上記したマフラー空間Ａ１を介して、フロントマフラ３１に形成される吐出孔から吐出される。また、弁収容室内には、吐出ポートの出口を開閉する吐出弁（図示せず）と、その吐出弁の開放を規制する押え部材（図示せず）とが設けられている。
【００４７】
シリンダ３３には、モータ軸２４の回転に伴って偏心運動するローラ３４が配置されるシリンダ室Ｂ１が設けられる。このシリンダ室Ｂ１とマフラー空間Ａ１とは、上記した吐出ポートを介して連通される。したがって、モータ軸２４の偏心部２２ａに装着されるローラ３４の偏心運動によって圧縮された冷媒は、シリンダ室Ｂ１から上記した吐出ポートを介してマフラー空間Ａ１に導かれる。
【００４８】
リアヘッド３５は、シリンダ３３のボトム１３側に配置され、シリンダ３３のシリンダ室Ｂ１のボトム１３側の開口を閉塞する。また、リアヘッド３５には、その略中央部に平面視で略円形の軸受け孔３５ａが形成されており、モータ軸２４が軸受け孔３５ａを通過している。
【００４９】
次に、上述した固定子とケーシングとの固定構造について、図３及び図４を参照して説明する。図３は、本発明の第１実施形態に係るロータリ圧縮機における固定子とケーシングとの固定構造を説明する外観斜視図である。図４は、図３のＡ―Ａ線におけるロータリ圧縮機における断面図である。
【００５０】
固定子２３とケーシング１１との固定構造１００では、複数の分割コア２６の外周面２６ｂは、ケーシング１１の内周面１１ｂに対して、溶接により固定されている。従って、各分割コア２６の内部には、溶接時の入熱によって分割コアが変形することで発生する応力、溶接時の入熱によってケーシングが変形することで分割コアに影響する応力、及び、溶接後に分割コアの外周面とケーシングの内周面との溶融部が冷えて熱収縮することによって分割コアが変形することで発生する応力などの分割コア及びケーシングのそれぞれの変形に起因する応力が発生している。そして、図４に示すように、複数の分割コア２６のそれぞれの外周面２６ｂとケーシング１１の内周面１１ｂとの間において、溶接により固定されていない部分には隙間が形成されている。
【００５１】
ここで、例えば、複数の分割コア２６に含まれる分割コア２６Ａと、分割コア２６Ａに隣接する分割コア２６Ｂとの２つの分割コア２６について考えると、分割コア２６Ａの外周面２６ｂ’とケーシング１１の内周面１１ｂとの溶接による固定領域２６ｃ’は、分割コア２６Ｂの外周面２６ｂ’’とケーシング１１の内周面１１ｂとの溶接による固定領域２６ｃ’’とは、固定領域の形状、数、または位置（高さ）が異なっている。つまり、図３及び図４に示すように、分割コア２６Ａの外周面２６ｂ’における固定領域２６ｃ’の数は３つであるのに対し、分割コア２６Ｂの外周面２６ｂ’’における固定領域２６ｃ’’の数は２つである。また、分割コア２６Ａの外周面２６ｂ’における３つの固定領域２６ｃ’のそれぞれの形状（大きさ）は、分割コア２６Ｂの外周面２６ｂ’’における２つの固定領域２６ｃ’’のそれぞれの形状より小さい。さらに、分割コア２６Ａの外周面２６ｂ’における固定領域２６ｃ’と、分割コア２６Ｂの外周面２６ｂ’’における固定領域２６ｃ’’とは、高さ方向の位置が異なっている。そのため、分割コア２６Ａの外周面２６ｂ’とケーシング１１の内周面１１ｂとの接触状態と、分割コア２６Ｂの外周面２６ｂ’’とケーシング１１の内周面１１ｂとの接触状態は異なっている。このとき、分割コア２６Ａ及び分割コア２６Ｂのそれぞれの内部に生じる応力が異なっており、分割コア２６Ａを構成する複数の板状部材４３Ａ、及び、分割コア２６Ｂを構成する複数の板状部材４３Ｂのそれぞれの締結強度が変化する。その結果、分割コア２６Ａ及び分割コア２６Ｂのそれぞれの剛性は変化して、分割コア２６Ａの固有振動数と分割コア２６Ｂの固有振動数とは異なるようになる。
【００５２】
このように、分割コア２６Ａ及び分割コア２６Ｂのそれぞれの内部に生じる応力が異なるように、複数の分割コア２６の全てにおいて接触状態が異なる場合には、複数の分割コア２６の内部に生じる応力がそれぞれ異なり、分割コア２６Ａの固有振動数は、全ての分割コアにおいて異なるようになる。
【００５３】
［第１実施形態の固定構造の特徴］
第１実施形態の固定構造１００には、以下のような特徴がある。
【００５４】
本実施形態の固定構造１００では、複数の分割コア２６の全てにおいて、溶接による固定領域２６ｃが異なることで、複数の分割コア２６の内部に生じる応力がそれぞれ異なり、分割コア２６Ａの固有振動数は、全ての分割コアにおいて異なるようになる。そのため、特定の周波数帯の音のピーク（突出）が現れるのを抑制することができる。
【００５５】
また、全ての分割コア２６において、各分割コア２６の外周面２６ｂとケーシング１１の内周面１１ｂとの溶接により固定される固定領域２６ｃが異なるようにすることで、各分割コア２６の固有振動数が異なるようになる。
【００５６】
（第２実施形態）
図５は、本発明の第２実施形態に係るロータリ圧縮機における固定子とケーシングとの固定構造を説明する外観斜視図である。図６は、図５のＢ―Ｂ線における断面図である。この第２実施形態では、複数の分割コアの外周面がケーシングの内周面に対して溶接及び締まり嵌めによって固定される点で、複数の分割コアの外周面がケーシングの内周面に対して溶接のみによって固定される第１実施形態と異なる。なお、第２実施形態では、複数の分割コアにおける外周面のケーシングに対する固定状態以外は、第１実施形態と同様であるので、第１実施形態と同一の番号を付し、その説明を省略する。
【００５７】
固定子２３とケーシング１１との固定構造２００では、固定子２３を構成する複数の分割コア２６の外周面２６ｂは、筒状のケーシング１１の内周面に対して、締まり嵌めと溶接により固定されている。従って、各分割コア２６の内部には、締まり嵌め時の締め付けによって生じる圧縮応力、溶接時の入熱によって分割コアが変形することで発生する応力、溶接時の入熱によってケーシングが変形することで分割コアに影響する応力、及び、溶接後に分割コアの外周面とケーシングの内周面との溶融部が冷えて熱収縮することによって分割コアが変形することで発生する応力などの分割コア及びケーシングのそれぞれの変形に起因する応力が発生している。そして、図６に示すように、複数の分割コア２６のそれぞれの外周面２６ｂとケーシング１１の内周面１１ｂとは、固定領域２２６ｃで溶接されている。また、複数の分割コア２６のそれぞれの外周面２６ｂとケーシング１１の内周面１１ｂとの間において、溶接により固定されていない部分は密着している。
【００５８】
ここで、複数の分割コア２６に含まれる分割コア２６Ａと、分割コア２６Ａに隣接する分割コア２６Ｂとの２つの分割コア２６について考えると、分割コア２６Ａの外周面２６ｂ’とケーシング１１の内周面１１ｂとが締まり嵌めのみによって固定されているのに対し、分割コア２６Ｂの外周面２６ｂ’’とケーシング１１の内周面１１ｂとは締まり嵌めと溶接とによって固定されている。つまり、図５及び図６に示すように、分割コア２６Ａの外周面２６ｂ’とケーシング１１の内周面１１ｂとの接触面間には溶接による固定領域２６ｃを有しないのに対し、分割コア２６Ｂの外周面２６ｂ’’とケーシング１１の内周面１１ｂとの接触面間には溶接による固定領域２６ｃ’’を有している。そのため、分割コア２６Ａの外周面２６ｂ’とケーシング１１の内周面１１ｂとの接触状態と、分割コア２６Ｂの外周面２６ｂ’’とケーシング１１の内周面１１ｂとの接触状態は異なっており、分割コア２６Ａの内部には、締まり嵌めによる応力のみが生じているのに対し、分割コア２６Ｂの内部には、締まり嵌めと溶接による応力が生じている。このとき、分割コア２６Ａ及び分割コア２６Ｂのそれぞれの内部に生じる応力は異なっており、分割コア２６Ａを構成する複数の板状部材４３Ａ、及び、分割コア２６Ｂを構成する複数の板状部材４３Ｂのそれぞれの締結強度が変化する。その結果、分割コア２６Ａ及び分割コア２６Ｂのそれぞれの剛性は変化して、分割コア２６Ａの固有振動数と分割コア２６Ｂの固有振動数とは異なるようになる。
【００５９】
このように、分割コア２６Ａ及び分割コア２６Ｂのそれぞれの内部に生じる応力が異なるように、複数の分割コア２６の全てにおいて接触状態が異なる場合には、複数の分割コア２６の内部に生じる応力がそれぞれ異なり、分割コア２６Ａの固有振動数は、全ての分割コアにおいて異なるようになる。
【００６０】
［第２実施形態の固定構造の特徴］
第２実施形態の固定構造２００には、以下のような特徴がある。
【００６１】
この第２実施形態の固定構造２００では、第１実施形態と同様に、各分割コア２６の固有振動数が異なるようになる。そのため、特定の周波数帯の音のピーク（突出）が現れるのを抑制することができる。
【００６２】
（第３実施形態）
図７は、本発明の第３実施形態に係るロータリ圧縮機の固定子とケーシングとの固定構造を説明する断面図である。図８は、図７のケーシングの外観斜視図ある。この第３実施形態では、複数の分割コアの外周面とケーシングの内周面とが締まり嵌めのみによって固定される点で、複数の分割コアの外周面とケーシングの内周面とが溶接によって固定される第１実施形態と異なる。なお、第３実施形態では、複数の分割コアにおける外周面のケーシングに対する固定状態以外は、第１実施形態と同様であるので、第１実施形態と同一の番号を付し、その説明を省略する。
【００６３】
固定子２３とケーシング３１１との固定構造３００では、固定子２３を構成する複数の分割コア２６のそれぞれの外周面２６ｂは、筒状のケーシング３１１の内周面３１１ｂに対して、締まり嵌めにより固定されている。従って、各分割コア２６の内部には、締まり嵌めによる応力が発生している。そして、図７に示すように、複数の分割コア２６の外周面２６ｂとケーシング３１１の内周面３１１ｂとは、全周に渡って密着している。また、図８に示すように、ケーシング３１１の内周面３１１ｂにおいて、複数の分割コア２６の外周面２６ｂが固定される領域には複数の凹部３１１ｃが形成されている。従って、複数の分割コア２６のそれぞれの外周面２６ｂとケーシング３１１の内周面３１１ｂとの間には、凹部３１１ｃによる空間が形成される。
【００６４】
ここで、複数の分割コア２６に含まれる分割コア２６Ａと、分割コア２６Ａに隣接する分割コア２６Ｂとの２つの分割コア２６について考えると、図７及び図８に示すように、ケーシング３１１の内周面３１１ｂにおいて、分割コア２６Ａの外周面２６ｂ’が固定される領域に形成される凹部３１１ｃ’の形状と、分割コア２６Ｂの外周面２６ｂ’’が固定される領域に形成される凹部３１１ｃ’’の形状とは異なっている。従って、各分割コア２６がケーシング３１１に対して締まり嵌めにより固定される場合には、分割コア２６Ａの外周面２６ｂ’及び分割コア２６Ｂの外周面２６ｂ’’はそれぞれケーシング３１１の内周面３１１ｂに対して隙間なく密着されるので、ケーシング３１１ｂに形成される凹部３１１ｃ’と凹部３１１ｃ’’との形状が異なることで、分割コア２６Ａの外周面２６ｂ’とケーシング３１１の内周面３１１ｂとの接触領域と、分割コア２６Ｂの外周面２６ｂ’’とケーシング３１１の内周面３１１ｂとの接触領域とは異なる。このとき、分割コア２６Ａ及び分割コア２６Ｂのそれぞれの内部に生じる応力が異なっており、分割コア２６Ａを構成する複数の板状部材４３Ａ、及び、分割コア２６Ｂを構成する複数の板状部材４３Ｂのそれぞれの締結強度が変化する。その結果、分割コア２６Ａ及び分割コア２６Ｂのそれぞれの剛性は変化して、分割コア２６Ａの固有振動数と分割コア２６Ｂの固有振動数とは異なるようになる。
【００６５】
このように、分割コア２６Ａ及び分割コア２６Ｂのそれぞれの内部に生じる応力が異なるように、複数の分割コア２６の全てにおいて接触状態が異なる場合には、複数の分割コア２６の内部に生じる応力がそれぞれ異なり、分割コア２６Ａの固有振動数は、全ての分割コアにおいて異なるようになる。
【００６６】
［第３実施形態の固定構造の特徴］
第３実施形態の固定構造３００には、以下のような特徴がある。
【００６７】
この第３実施形態の固定構造３００では、第１実施形態と同様に、各分割コア２６の固有振動数が異なるようになる。そのため、特定の周波数帯の音のピーク（突出）が現れるのを抑制することができる。
【００６８】
以上の実施形態では、分割コアとパイプの溶接の有無や、ケーシングの凹凸の有無で接触状態が異なることで各分割コアに生じる応力が異なるようになるだけでなく、接触状態が異なることで各分割コアから伝達する音の経路が異なることになるため、分割コアからケ−シングに伝わる音の伝達特性が異なることになる。例えば、分割コアの固有振動数の振動モードの振動の節の部分でケーシングと接触や固定させる状態にすれば、分割コアからのケーシングへの音の伝達を抑制することができる。
【００６９】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００７０】
例えば、上述の実施形態では、ロータリ圧縮機１に複数の分割コア２６とケーシング１１、３１１との固定構造１００、２００、３００を適用する例について説明したが、本発明はこれに限らず、種々の圧縮機に適用可能である。
【００７１】
また、上述の実施形態では、複数の板状部材４３は、それぞれ、電線２７を巻回するための１つの歯部２６ａを有していたが、本発明はこれに限らず、２つ以上の歯部を有していてもよい。
【００７２】
また、上述の第１実施形態では、ケーシング１１の内周面１１ｂは均一な面に形成されている例について説明したが、本発明はこれに限らず、図９及び図１０に示すように、ケーシング４１１の内周面４１１ｂにおいて、複数の分割コア２６の外周面２６ｂと溶接により固定されない領域の少なくとも一部に、複数の分割コアの外周面２６ｂに接触する凸部４１１ｃが形成されていてもよい。この場合には、ケーシング４１１の内周面４１１ｂに形成された凸部４１１ｃが分割コア２６の外周面２６ｂに接触することで、各分割コア２６の外周面２６ｂとケーシング４１１の内周面４１１ｂとの接触状態が変化する。
【００７３】
また、上述の実施形態では、複数の分割コア２６の外周面２６ｂとケーシング１１、３１１の内周面１１ｂ、３１１ｂとのそれぞれの接触状態は、全ての分割コア２６において異なる例について説明したが、本発明はこれに限らず、少なくとも１つの分割コアにおいて異なっていてもよい。
【００７４】
また、上述の第３実施形態では、複数の分割コア２６は、締まり嵌めのみにより固定される場合にケーシング３１１の内周面３１１ｂに凹部が形成されている例について説明したが、本発明はこれに限らず、締まり嵌めと溶接により固定されている場合にケーシング３１１の内周面３１１ｂに凹部が形成されていてもよい。
【産業上の利用可能性】
【００７５】
本発明を利用すれば、特定の周波数帯の音のピーク（突出）が現れるのを抑制することができる。
【図面の簡単な説明】
【００７６】
【図１】本発明の第１実施形態に係るロータリ圧縮機の概略構成図である。
【図２】図１のロータリ圧縮機の駆動機構を説明する断面図である。
【図３】図１のロータリ圧縮機における固定子とケーシングとの固定構造を説明する外観斜視図である。
【図４】図３のＡ―Ａ線における断面図である。
【図５】本発明の第２実施形態に係るロータリ圧縮機における固定子とケーシングとの固定構造を説明する外観斜視図である。
【図６】図５のＢ―Ｂ線における断面図である。
【図７】本発明の第３実施形態に係るロータリ圧縮機の固定子とケーシングとの固定構造を説明する断面図である。
【図８】図７のケーシングの外観斜視図ある。
【図９】本発明の変形例に係るロータリ圧縮機の固定子とケーシングとの固定構造を説明する断面図である。
【図１０】図９のケーシングの外観斜視図ある。
【符号の説明】
【００７７】
１  ロータリ圧縮機
１１、３１１  ケーシング
１１ｂ、３１１ｂ、４１１ｂ  ケーシングの内周面
２２  回転子
２３  固定子
２６  分割コア
２６ａ  歯部
２６ｂ  分割コアの外周面
２６ｃ、２２６ｃ  固定領域
２７  電線
１００、２００、３００、４００  固定構造
３１１ｃ  凹部
４１１ｃ  凸部
【図１】
2010041851.tif 000003
【図２】
2010041851.tif 000004
【図３】
2010041851.tif 000005
【図４】
2010041851.tif 000006
【図５】
2010041851.tif 000007
【図６】
2010041851.tif 000008
【図７】
2010041851.tif 000009
【図８】
2010041851.tif 000010
【図９】
2010041851.tif 000011
【図１０】
2010041851.tif 000012